(57)【要約】【課題】  襦袢や着付け用衿は着付け用紐が縫い付けられた後で着衣し、着付けの操作をするので、特に手が後ろに廻り難い老人等には不便である。また、紐が付いていて仕舞うときの折り畳みが不便である。【解決手段】  衿を有する着衣の着付けに用いる紐セットであって、当該衿の衿合わをする両衿のそれぞれの衿の側に設けた被連結体のそれぞれに連結及びその解除可能な視覚又は触覚で識別可能な連結部を一端部に有し、他端側を互い違いに背側に回して表側で締めつけ可能に固定可能な一対の紐をセットの構成に有する着付け用紐セット。  その着付け用紐セットと、衿を有する着衣は衿とこの衿に取り付けられた引き布とからなり、該引き布には紐通部を有し、該紐通部具備の引き布付き衿の着付け用衿をセットとして有する着付け用セット。【選択図】  図８
0003134243.tif 000002
【実用新案登録請求の範囲】
【請求項１】
衿を有する着衣の着付けに用いる紐セットであって、当該衿の衿合わをする両衿のそれぞれの衿の側に設けた被連結体のそれぞれに連結及びその解除可能な視覚又は触覚で識別可能な連結部を一端部に有し、他端側を互い違いに背側に回して表側で締めつけ可能に固定可能な一対の紐をセットとして有する着付け用紐セット。
【請求項２】
衿を有する着衣の着付けに用いる紐セットであって、当該衿の衿合わをする両衿のそれぞれの衿の側に連結した一対の環状紐のそれぞれに連結及びその解除可能な視覚又は触覚で識別可能な連結部を一端部に有し、他端側を互い違いに背側に回して表側で締めつけ可能に固定可能な一対の紐をセットとして有する着付け用紐セット。
【請求項３】
衿を有する着衣の着付けに用いる紐セットであって、当該衿の衿合わをする両衿のそれぞれの衿の側端縁に連結した一対の環状紐のそれぞれに連結及びその解除可能な視覚又は触覚で識別可能な連結部を一端部に有し、他端側を互い違いに背側に回して表側で締めつけ可能に固定可能な一対の紐と、上記両衿のそれぞれの衿の側端縁に連結及びその解除可能に取付可能の一対の環状紐をセットとして有する着付け用紐セット。    
【請求項４】
一対の紐の一端部に設けた連結部は一対の環状紐のそれぞれに通して折り畳み、その合わせ部の対向面に接合及びその解除自在のマジックテープ（登録商標）の接合のための一対の各部材を取り付けた請求項２又は３に記載の着付け用紐セット。
【請求項５】
着衣の衿には襟足を見せるために背側の衿を引っ張る引き布が設けられ、当該引き布には環状に布が取り付けられて紐通部が形成され、一対の紐は当該紐通部を通して使用される請求項１ないし４のいずれかに記載の着付け用紐セット。
【請求項６】
請求項１ないし５のいずれかに記載の着付け用紐セットと、衿を有する着衣は衿とこの衿に取り付けられた引き布とからなり、該引き布には紐通部を有し、該紐通部具備の引き布付き衿の着付け用衿をセットとして有する着付け用セット。
【請求項７】
請求項１ないし５のいずれかに記載の着付け用紐セットと、衿を有する着衣は襦袢とこの襦袢の衿に取り付けられた引き布とからなり、該引き布には紐通部を有し、該紐通部具備の引き布付き襦袢をセットとして有する着付け用セット。
【請求項８】
一対の環状紐は着付け衿又は襦袢の衿に取り付けられている請求項６又は７に記載の着付け用セット。
【考案の詳細な説明】
【技術分野】
【０００１】
本考案は、例えば女性が和服を着るときに、美しい着付けをするには襦袢や着付け用衿の衿合わせが大切であるが、その衿合わせを簡単かつ正確に行えるようにした着付け用紐セット及び着付けセットに関する。
【背景技術】
【０００２】
従来、襦袢を着付けるには、図１（ａ）に示すように、襦袢１の衿２を合わせて、その合わせた両衿の下衿２ａと上衿２ｂのそれぞれの下端縁に縫い付けた紐３ａ、３ｂを互い違いに背側を経由して表側（前側又は正面側）に廻すが、紐３ａについては襦袢１の袖下に設けた切り込み（身八ツ口）１ａを通して背側を経由して表側に廻す。その際、図１（ｂ）に示すように、紐３ａ、３ｂは、背中側では襟足を見せるため衿２の背側下端に縫い付けられた引き布４に布を環状に取付けて形成した紐通部５に通される。図１（ｃ）に示すように、表側に廻された紐３ａ、３ｂは交叉させて襦袢の着衣を締めつけ、それぞれの端部は折り畳み、それぞれの先端は締めつけた紐３ａ、３ｂに潜らせて着衣との間に圧接固定する。図２（ｄ）には背中側が示されてきる。そして、図２（ｅ）に示すように、最後に伊達巻き又は伊達じめ６を締め、襦袢の着付けが完了する。
この着付けた襦袢を下着として晴着等の上着が着付けられるが、この上着は帯締めにより着付けられる。
【０００３】
襦袢を着る代わりに、図３（ａ）に示すように、ランジエリー７を着て、図３（ｂ）（ｃ）に示すように、図１（ｂ）に示した紐通部５を設けた引き布４を取り付けた衿８だけの着付け用衿９（「美容衿」と呼ばれることもある）を着衣して衿を合わせ、その合わせた両衿の下衿８ａと上衿８ｂのそれぞれの下端部裏面に縫い付けた紐１０ａ、１０ｂを互い違いに背側を経由して表側に廻すが、その際、背中側では紐通部５を通す。図４（ｄ）（ｅ）に示すように、表側では下衿８ａと上衿８ｂの下端中央に設けた紐通（切り込み）８ｂ−１、８ａ−１を通してから着衣を締めつけ、紐１０ａ、１０ｂの端部を結び付けて固定する。１１ａ、１１ｂは衿合わせ紐（合引紐）で、その結び目を調節して衿を安定させるためのものである。そして、図４（ｆ）に示すように、ヒップパッド１２を当てがい、さらに図５（ｇ）に示すように、美容パット１３を衿の上から締めると伊達じめを兼ねて衿が一層安定する。図４（ｈ）に示すように、替袖１４、裾よけ１５を付けることもある。
この着付けた着付け用衿９等をを下着として晴着等の上着が着付けられるが、通常のようにこの上着は帯締めにより着付けられる。
なお、図を含めて下記特許文献１を参考にした。
【特許文献１】「装道きもな学院テキスト  実技編  入門初習課程」（昭和６１年４月３０日  装道出版局発行）第２２〜２５頁
【考案の開示】
【考案が解決しようとする課題】
【０００４】
図１（ａ）、図３（ｂ）において、紐３ａ、３ｂ、紐１０ａ、１０ｂは予め襦袢１や着付け衿９のそれぞれの衿に縫い付けておいてから、襦袢１や着付け用衿９は着衣されるので、図１（ｂ）、図３（ｃ）に示すように、紐通部５に紐３ａ、３ｂ、紐１０ａ、１０ｂを通すには手を後ろに廻して操作しなければならず、特に老人等の手が後ろに廻り難い人には不便である。
また、用事が済んだ後で、図２（ｅ）の襦袢１や図５（ｈ）の着付け用衿９を脱いで、仕舞うときは、紐３ａ、３ｂ、紐１０ａ、１０ｂが付いているので、襦袢や着付け用衿そのもののほかに、その紐の折り畳みによる整理もしなければならない余分なことが必要になるのみならず、この紐がついていることによる襦袢や着付け用衿の折り畳みによる整理も通常のようにはいかず面倒である。そのため、取り合えずは簡単に紐ごと襦袢や着付け用衿を丸めて仕舞うようなこともあり、しわや型崩れを起こし易く、後で整理をするにしても、再度使用する際に当初の見栄えを維持できないことがある。
【課題を解決するための手段】
【０００５】
本考案者は、上記課題を解決するために鋭意研究した結果、紐３ａ、３ｂ、紐１０ａ、１０ｂをそれぞれ襦袢１や着付け衿９から分離し、襦袢１や着付け衿９を着衣した後に連結して使用すれば、簡単に紐にによる着付けができることを見出し、本考案をするに至った。
したがって、本考案は、（１）、衿を有する着衣の着付けに用いる紐セットであって、当該衿の衿合わをする両衿のそれぞれの衿の側に設けた被連結体のそれぞれに連結及びその解除可能な視覚又は触覚で識別可能な連結部を一端部に有し、他端側を互い違いに背側に回して表側で締めつけ可能に固定可能な一対の紐をセットとして有する着付け用紐セットを提供するものである。
また、本発明は、（２）、衿を有する着衣の着付けに用いる紐セットであって、当該衿の衿合わをする両衿のそれぞれの衿の側に連結した一対の環状紐のそれぞれに連結及びその解除可能な視覚又は触覚で識別可能な連結部を一端部に有し、他端側を互い違いに背側に回して表側で締めつけ可能に固定可能な一対の紐をセットとして有する着付け用紐セット、（３）、衿を有する着衣の着付けに用いる紐セットであって、当該衿の衿合わをする両衿のそれぞれの衿の側端縁に連結した一対の環状紐のそれぞれに連結及びその解除可能な視覚又は触覚で識別可能な連結部を一端部に有し、他端側を互い違いに背側に回して表側で締めつけ可能に固定可能な一対の紐と、上記両衿のそれぞれの衿の側端縁に連結及びその解除可能に取付可能の一対の環状紐をセットとして有する着付け用紐セット、（４）、一対の紐の一端部に設けた連結部は一対の環状紐のそれぞれに通して折り畳み、その合わせ部の対向面に接合及びその解除自在のマジックテープ（登録商標）の接合のための一対の各部材を取り付けた上記（２）又は（３）の着付け用紐セット、（５）、着衣の衿には襟足を見せるために背側の衿を引っ張る引き布が設けられ、当該引き布には環状に布が取り付けられて紐通部が形成され、一対の紐は当該紐通部を通して使用される上記（１）ないし（４）のいずれかの着付け用紐セット、（６）、上記（１）ないし（５）のいずれかの着付け用紐セットと、衿を有する着衣は衿とこの衿に取り付けられた引き布とからなり、該引き布には紐通部を有し、該紐通部具備の引き布付き衿の着付け用衿をセットとして有する着付け用セット、（７）、上記（１）ないし（５）のいずれかの着付け用紐セットと、衿を有する着衣は襦袢とこの襦袢の衿に取り付けられた引き布とからなり、該引き布には紐通部を有し、該紐通部具備の引き布付き襦袢をセットとして有する着付け用セット、（８）、一対の環状紐は着付け衿又は襦袢の衿に取り付けられている上記（６）又は（７）の着付け用セットを提供するものである。
【考案の効果】
【０００６】
本考案によれば、例えば襦袢や着付け用衿を着付けるに必要な一対の紐を、これらの襦袢や着付け用衿と分離し、襦袢や着付け用衿を着衣した後にこれらの襦袢や着付け用衿と連結及びその解除可能に設け、それぞれの紐の一端部は視覚又は触覚により識別可能としたので、襦袢や着付け用衿等を着衣した後、これらの一対の紐を互い違いに並べて着衣の背中側にずり上げたり、またはずり下げたり、あるいは襦袢や着付け用衿等の背中側に紐通部を有する引き布等が設けられておれば、これらの一対の紐を互い違いに並べてその紐通部に通してから襦袢や着付け用衿等を着衣し、これらの後に識別可能の紐の一端の連結部を簡単に手探り当てて、衿合わせした両衿に取り付けた環状紐のような被連結部に簡単に連結でき、その連結をマジックテープ（登録商標）を用いて行えばその連結、その解除も自在であり、手を後ろに廻すことなく、特に老人等の手が後ろに廻り難い人にも容易に着付けの動作を行うことがてきる。
また、使用後は一対の紐は連結を解除して別に整理することができ、これらの一対の紐を取り外された襦袢や着付け用衿等も支障のなる邪魔物はないので、通常の襦袢や着付け用衿のように折り畳んで整理することも容易になる。
これらにより、襦袢や着付け用衿等を迅速、正確に着付けることができるのみならず、その使用後の整理も支障がないようにでき、襦袢や着付け用衿等の利便性を向上させて、面倒くさがりの特に若者等にも和服の魅力を訴え、その隆盛を図ることができる。
【考案を実施するための最良の形態】
【０００７】
詳細は以下の実施例で説明するが、本考案は、以下の実施例に示したものと類似のものも含む。
【実施例１】
【０００８】
次に図面に基づいて本考案の実施例を説明する。
図６に示すように、（ａ）に示す一対の紐２１ａ、２１ｂからなる着付け用紐セット、（ａ）に示す一対の紐２１ａ、２１ｂと、（ｂ）に示す一対の環状紐２２ａ、２２ｂからなる着付け用紐セット、（ａ）に示す一対の紐２１ａ、２１ｂと、（ｃ）（正面図）に示す着付け用衿２３からなる着付け用セット、（ａ）〜（ｃ）に示す一対の紐２１ａ、２１ｂと、一対の環状紐２２ａ、２２ｂと、着付け用衿２３（一対の環状紐２２ａ、２２ｂは取付けられていなくてもよい）とからなる着付け用セットがある。また、（ａ）に示す一対の紐２１ａ、２１ｂと、図９に示す襦袢３１からなる着付け用セット、（ａ）〜（ｂ）に示す一対の紐２１ａ、２１ｂと、一対の環状紐２２ａ、２２ｂと、図９に示す襦袢３１（一対の環状紐２２ａ、２２ｂは取付けられていなくてもよい）とからなる着付け用セットがある。                                                                       一対の紐２１ａ、２１ｂは、それぞれ紐、テープ、細長帯等の紐状体（可撓性長尺体）の一端側にマジックテープ（登録商標）の部材２１ａ−１、２１ａ−２、２１ｂ−１、２１ｂ−２が取付けられて（スラックスのバンドの留め具等の留め具でもよい）、連結部２１ａ−３、２１ｂ−３が設けられており、それぞれ環状に閉じてあるいは折り畳んで接合できるようになっている。また、一対の環状紐２２ａ、２２ｂは、それぞれ紐、テープ等の紐状体の一端側端部を残して他端側を環状に閉じて（折り畳める）縫い付け等により固着したものであり、環状部２２ａ−１、２２ｂ−１、一端側端部の取付片２２ａ−２、２２ｂ−２が設けられている。なお、マジックテープ（登録商標）はマジックファスナー（登録商標）ともいい、例えば多数の可撓性鉤片を植設した布片と多数の可撓性ループ片を植設した布片からなり、各鉤とループを係脱自在にしてこれら布片同志の接合、その解除を自在にしたものである。
また、着付け用衿２３は、図６（ｃ）（正面図）、図７（ｂ）（背面図）に示すように、衿２４の背中側に幅１０〜２０ｃｍ、長さ３０〜４０ｃｍの引き布２４ａが設けられ、これには幅８〜１８ｃｍ、長さ３〜７ｃｍの布片の両端を縫い付けて紐通部２４ａ−１が設けられている。衿２４は衿合わせしたときに下衿２４ｂ、上衿２４ｃとなり、それぞれの下衿２４ｂ、上衿２４ｃには細長切り込みからなる紐通孔２４ｂ−１、２４ｃ−１が形成されているとともに、衿合わせ紐（合引紐）２４ｂ−２、２４ｃ−２が取付けられている。下衿２４ｂ、上衿２４ｃの下端外側縁には一対の環状紐２２ｂ、２２ａがその取付片２２ｂ−２、２２ａ−２の縫い付け、又はネクタイピン（表側からピンを刺し裏側で留めるもの等）のような着脱自在の留め具により取付けられていてもよいが、これらは着付け時に取付け位置を調整して取付けるようにしてもよい。
【０００９】
着付け用衿２３を着付けるには、図７（ａ）に示すように、先ずランジエリー７を着衣する。図７（ｂ）に示すように、紐２１ａ、２１ｂを互い違いに並べて、紐２１ａの連結部２１ａ−３、紐２１ｂの連結部２１ｂ−３の設けられてない他端側を手で持って、着付け用衿２３の引き布２４ａにおける紐通部２４ａ−１に通す。図７（ｃ）に示すように、この着付け用衿２３を着衣し、図８（ａ）に示すように、紐２１ａの連結部２１ａ−３を触覚又は視覚により手探り当てて、指で環状紐２２ｂの環状部２２ｂ−１に紐２１ａの一端部の連結部２１ａ−３を通し、さらにマジックテープ（登録商標）の部材２１ａ−１、２１ａ−２を接合して紐２１ａを環状紐２２ｂと連結し、ついで図８（ｂ）に示すように、紐２１ｂの連結部２１ｂ−３を手探り当て、以下同様にして、紐２１ｂを環状紐２２ａと連結し、その後、それぞれの紐２１ａ、２１ｂの他端側を手探り寄せ、互い違いに引っ張って着付けの具合を調整し、それぞれの端部を紐通孔２４ｃ−１、２４ｂ−１を通して表側（前側）に導く。以下、図４（ｅ）、（ｆ）、図５（ｇ）、（ｈ）に示すと同様にして、着付けの仕上げを行なう。
この着付けた着付け用衿２３等をを下着として晴着等の上着が着付けられるが、通常のようにこの上着は帯締めにより着付けられるのは従来の場合と同様である。
【００１０】
襦袢を着付けるには、図９（正面図）に示すように、襦袢３１の衿３２の下衿３２ｂ、上衿３２ｃの下端外側端縁に環状紐２２ｂ、２２ａを縫い付け（上記と同様に留め具を使用してもよい）、図１０（背面図）に示すように、図７（ｂ）に示す引き布２４ａと同様の引き布３２ａを衿３２の背中側に取付け、紐通部２４ａ−１と同様の紐通部３２ａ−１を設け、この紐通部３２ａ−１に図７（ｂ）と同様に、紐２１ａ、２１ｂを互い違いに通しておく。その後、襦袢３１を着衣し、図示省略したが図８（ａ）〜（ｃ）を参照して説明したように、紐２１ａの連結部２１ａ−３を触覚又は視覚により手探り当てて、身八ツ口３１ａを通して表側に導き（この点だけは異なる）、指で環状紐２２ｂの環状部２２ｂ−１に紐２１ａの一端部の連結部２１ａ−３を通し、さらにマジックテープ（登録商標）の部材２１ａ−１、２１ａ−２を接合して紐２１ａを環状紐２２ｂと連結する。ついで紐２１ｂの連結部２１ｂ−３を手探り当て、今度は身八ツ口３１ａを通さずに以下同様にして、紐２１ｂを環状紐２２ａと連結し、その後、図１（ｂ）に示すように、それぞれの紐２１ａ、２１ｂの他端側を手探り寄せ、互い違いに引っ張って着付けの具合を調整し、以下図１（ｃ）、図２（ｄ）、（ｅ）に示すように、着付けの仕上げをする。
この着付けた襦袢を下着として晴着等の上着が着付けられるが、この上着は帯締めにより着付けられるのは従来と同様である。
【００１１】
以上のようにすると、紐２１ａ、２１ｂは紐通部２４ａ−１、３２ａ−１が幅広であるので通す紐の方向性をある程度は持たせることができ、よれずに、直ぐに垂れ下がらないようにできるので、紐２１ａ、２１ｂの端部を手探るにも手を後ろに廻す度合いを少なくしてその手探りが比較的簡単（楽）にできる。また、紐２１ａ、２１ｂは互い違いに並べて使用するので、その一端部の連結部のある紐とその他端部の識別可能な連結部のない紐を触覚又は視覚により容易に識別でき、それぞれの紐の手探りを簡単に行なえるとともに、紐の連結部は環状紐の環状部に通した後折畳んでマジックテープ（登録商標）の部材を接合するだけでよいので、それぞれの紐と環状紐との連結もいわば２動作で行えて簡単であり、それぞれの紐の自由端の他端側の操作も手探りを含めて容易であり、着付けの紐操作を迅速、正確に行うことができる。
なお、環状紐は単なる紐でもよく、紐の連結部は触覚又は視覚で識別できるものであればよく、両者は単に結び合わせによる連結でもよく、その他衣料用等の固着具を用いて連結してもよい。また、環状紐の代わりに着付け用衿や襦袢の下衿、上衿に紐挿通孔を設けてこれに紐を通して結び合わせる等の抜け止めをして連結するようにしてもよい。
また、紐２１ａ、２１ｂの連結部を設けない他端部にもマジックテープ（登録商標）の各部材を取付け、その他端部を結び付ける代わりにマジックテープ（登録商標）で接合するようにしてもよい。この場合には一端部の連結部と区別できるように、取付けるマジックテープ（登録商標）の面積や間隔等を調整する。
また、着衣は和装着（和服）に限らず、洋服、仕事着、運動着、祭事用着のいずれでもよく、着衣の対象も人に限らず人形、動物等でもよい。
【図面の簡単な説明】
【００１２】
【図１】襦袢の着付けの仕方を順を追って説明する説明図である。
【図２】その続きの順を追った説明図である。
【図３】着付け用衿の着付けの仕方を順を追って説明する説明図である。
【図４】その続きの順を追った説明図である。
【図５】その続きの順を追った説明図である。
【図６】本考案の実施例の着付け用紐セット、着付け用セットを示す説明図である。
【図７】その着付け用セットを用いた着付け用衿の着付けの仕方を順を追って説明する説明図である。
【図８】その続きの順を追った説明図である。
【図９】その着付け用セットを用いた襦袢の着付けの仕方を順を追って説明する説明図である。
【図１０】その続きの順を追った説明図である。
【符号の説明】
【００１３】
１、３１  襦袢
２、８、２４、３２  衿
４、２４ａ、３２ａ  引き布
５、２４ａ−１  ３２ａ−１  紐通部
７  ランジュリー
９、２３  着付け用衿
２ａ、８ａ、２４ｂ、３２ｂ  下衿
２ｂ、８ｂ、２４ｃ、３２ｃ  上衿
３ａ、１０ａ、２１ａ  一対の紐の一方の紐で前二者は縫い付け、後者は遊離の紐
３ｂ、１０ｂ、２１ｂ  一対の紐の他方の紐で前二者は縫い付け、後者は遊離の紐
２１ａ−１、２１ｂ−１  マジックテープ（登録商標）の一方の部材
２１ａ−２、２１ｂ−２  マジックテープ（登録商標）の他方の部材
２１ａ−３、２１ｂ−３  連結部
２２ａ、２２ｂ  一対の環状紐
【図１】
0003134243.tif 000003
【図２】
0003134243.tif 000004
【図３】
0003134243.tif 000005
【図４】
0003134243.tif 000006
【図５】
0003134243.tif 000007
【図６】
0003134243.tif 000008
【図７】
0003134243.tif 000009
【図８】
0003134243.tif 000010
【図９】
0003134243.tif 000011
【図１０】
0003134243.tif 000012